(57)【要約】【課題】高い防火性能を得ること。【解決手段】採光部４は、外表面材２１と内表面材２２との間に配置され、採光開口部Ｏｐ２を形成する採光部骨材５と、外額縁部材８と、見込み方向に沿って採光開口部Ｏｐ２内に挿通される連結部材Ｓｃにより外額縁部材８に保持される内額縁部材９と、連結部材Ｓｃにより外額縁部材９に保持される補強部材１０と、面材７とを備える。補強部材１０は、面材７と見込み方向に重なり合うとともに連結部材Ｓｃにより外額縁部材８に保持される面材押え部１０１ｂと、内表面材２２と見込み方向に重なり合う内表面材押え部１０１ａと、面材押え部１０１ｂ及び内表面材押え部１０１ａを互いに接続する接続部１０１ｃとを備える。接続部１０１ｃは、連結部材Ｓｃよりも採光部骨材５側に位置し、採光開口部Ｏｐ２外から採光開口部Ｏｐ２内に延在して内表面材２２と採光部骨材５との間を覆う。【選択図】図４
2020026673.tif 000002
【特許請求の範囲】
【請求項１】
室外側に配置される外表面材と室内側に配置される内表面材との間に断熱材を配設し、前記外表面材と前記内表面材とを貫通する採光孔に採光部を設けた戸体であって、
前記採光部は、
前記外表面材と前記内表面材との間に配置され、前記外表面材及び前記内表面材における前記採光孔の開口縁部とともに採光開口部を形成する採光部骨材と、
前記採光孔の開口周縁部に配置される額縁と、
外周縁部が前記額縁に保持される面材とを備え、
前記額縁は、
前記外表面材の表面に配置される外額縁部材と、
前記内表面材の表面に配置され、見込み方向に沿って前記採光開口部内に挿通される連結部材により前記外額縁部材に保持される内額縁部材と、
前記連結部材により前記外額縁部材に保持される補強部材とを備え、
前記補強部材は、
前記面材よりも室内側に位置し、前記面材と見込み方向に重なり合うとともに、前記連結部材により前記外額縁部材に保持される面材押え部と、
前記面材押え部及び前記内表面材よりも室内側に位置し、前記内表面材と見込み方向に重なり合う内表面材押え部と、
前記面材押え部及び前記内表面材押え部を互いに接続する接続部とを備え、
前記接続部は、
前記連結部材よりも前記採光部骨材側に位置するとともに、前記採光開口部外から前記採光開口部内に延在して前記内表面材と前記採光部骨材との間を覆う
ことを特徴とする戸体。
【請求項２】
前記内額縁部材は、
樹脂材料で構成され、
前記補強部材は、
前記内額縁部材よりも室内側に配置されている
ことを特徴とする請求項１に記載の戸体。
【請求項３】
前記面材押え部及び前記面材の間と、前記内表面材押え部及び前記内表面材の間との少なくとも一方には、
加熱により膨張する熱膨張性部材が設けられている
ことを特徴とする請求項１または２に記載の戸体。
【発明の詳細な説明】
【技術分野】
【０００１】
本発明は、採光部を設けた戸体に関する。
【背景技術】
【０００２】
従来、玄関ドア等の戸体として、室外側に配置される外表面材と室内側に配置される内表面材との間に断熱材を配設し、外表面材と内表面材とを貫通する採光孔に採光部を設けた戸体が知られている（例えば、特許文献１参照）。
特許文献１に記載の採光部は、ガラス周り補強芯材と、採光孔の開口周縁部に配置される屋外側ガラス押え部材及び屋内側ガラス押え部材と、ガラスとを備える。
ガラス周り補強芯材は、外表面材と内表面材との間に配置され、外表面材及び内表面材における採光孔の開口縁部とともに採光開口部を形成する。
屋外側ガラス押え部材は、アルミニウム材で構成され、外表面材の表面に配置される。
屋内側ガラス押え部材は、樹脂で構成されている。この屋内側ガラス押え部材は、内表面材の表面に配置され、見込み方向に沿って採光開口部内に挿通されるネジにより屋外側ガラス押え部材に保持される。これにより、ガラスの外周縁部は、屋外側ガラス押え部材と屋内側ガラス押え部材とに挟持される。
【先行技術文献】
【特許文献】
【０００３】
【特許文献１】特許第６１４１１７０号公報
【発明の概要】
【発明が解決しようとする課題】
【０００４】
ところで、屋外側での火災等により戸体内部の断熱材等に引火すると、戸体内部からガラス周り補強芯材と内表面材との間を介して採光開口部内に炎が噴出する場合がある。この場合において、特許文献１に記載の戸体では、当該採光開口部内に噴出する炎により樹脂製の屋内側ガラス押え部材が焼失してしまう。すなわち、当該炎が屋内側の空間に噴出されることとなり、高い防火性能を得ることができない、という問題がある。
【０００５】
本発明は、上記実情に鑑みて、高い防火性能を得ることができる戸体を提供することを目的とする。
【課題を解決するための手段】
【０００６】
上記目的を達成するため、本発明に係る戸体は、室外側に配置される外表面材と室内側に配置される内表面材との間に断熱材を配設し、前記外表面材と前記内表面材とを貫通する採光孔に採光部を設けた戸体であって、前記採光部は、前記外表面材と前記内表面材との間に配置され、前記外表面材及び前記内表面材における前記採光孔の開口縁部とともに採光開口部を形成する採光部骨材と、前記採光孔の開口周縁部に配置される額縁と、外周縁部が前記額縁に保持される面材とを備え、前記額縁は、前記外表面材の表面に配置される外額縁部材と、前記内表面材の表面に配置され、見込み方向に沿って前記採光開口部内に挿通される連結部材により前記外額縁部材に保持される内額縁部材と、前記連結部材により前記外額縁部材に保持される補強部材とを備え、前記補強部材は、前記面材よりも室内側に位置し、前記面材と見込み方向に重なり合うとともに、前記連結部材により前記外額縁部材に保持される面材押え部と、前記面材押え部及び前記内表面材よりも室内側に位置し、前記内表面材と見込み方向に重なり合う内表面材押え部と、前記面材押え部及び前記内表面材押え部を互いに接続する接続部とを備え、前記接続部は、前記連結部材よりも前記採光部骨材側に位置するとともに、前記採光開口部外から前記採光開口部内に延在して前記内表面材と前記採光部骨材との間を覆うことを特徴とする。
【発明の効果】
【０００７】
本発明に係る建具によれば、高い防火性能を得ることができる、という効果を奏する。
【図面の簡単な説明】
【０００８】
【図１】実施の形態に係る建具を室外側から見た図である。
【図２】ドアを室内側から見た図である。
【図３】採光部の構成を示す図である。
【図４】採光部の構成を示す図である。
【図５】補強部材の機能を説明する図である。
【発明を実施するための形態】
【０００９】
以下に、図面を参照して、本発明を実施するための形態（以下、実施の形態）について説明する。なお、以下に説明する実施の形態によって本発明が限定されるものではない。さらに、図面の記載において、同一の部分には同一の符号を付している。
【００１０】
〔建具の概略構成〕
図１は、本実施の形態に係る建具１を室外側から見た図である。図２は、ドア２を室内側から見た図である。
なお、以下で記載する「見込み方向」は、建具１の奥行きに沿った方向（図３ないし図５の矢印Ａｒの方向）である。見込み方向に沿った平面については、見込み面と称し、見込み方向に直交する平面については、見付け面と称する場合がある。
本実施の形態では、建具１として、玄関に用いられるドア２と、当該ドア２を回動自在に支持する枠体３とを備えた建具を例に挙げて説明する。
【００１１】
枠体３は、上枠３１、下枠３２、戸先側縦枠３３、及び吊元側縦枠３４を四周枠組みすることによって構成され、建物の内外を連通する開口部Ｏｐ１を形成する。
これら各枠部材３１〜３４は、具体的な図示は省略したが、アルミニウム等の金属製の押出形材でそれぞれ構成された室外側の部位及び室内側の部位の間が断熱材を介して連結された断熱構造（形材断熱構造）を有する。
【００１２】
ドア２は、本発明に係る戸体に相当する。このドア２は、枠状の骨組体（図示略）の室外側及び室内側に外表面材２１及び内表面材２２をそれぞれ設け、内部に断熱材２３（図３〜図５参照）を設けた断熱パネルである。そして、ドア２は、複数のヒンジＨｉを用いて枠体３（吊元側縦枠３４）に連結されている。これにより、ドア２は、枠体３に対して回動可能に支持され、当該枠体３にて形成された開口部Ｏｐ１を開閉する。
ここで、ドア２は、室内外で光を透過する採光部４を有する。以下、採光部４の構成について説明する。
【００１３】
〔採光部の構成〕
図３及び図４は、採光部４の構成を示す図である。具体的に、図３は、図１に示したIII-III線の断面図である。図４は、図２に示したIV-IV線の断面図である。
なお、以下で記載する「左」は、図４中の左（吊元側）を意味し、「右」は、図４中の右（戸先側）を意味する。
採光部４は、外表面材２１及び内表面材２２を室内外方向にそれぞれ貫通する外採光孔２１１及び内採光孔２２１に設けられている。これら外採光孔２１１及び内採光孔２２１は、本発明に係る採光孔に相当する。そして、これら外採光孔２１１及び内採光孔２２１は、外表面材２１及び内表面材２２における左右方向中央で上下方向に延在する縦長形状を有する開口であり、同一形状を有する。すなわち、採光部４は、ドア２の左右方向中央で縦長形状を有する。なお、外採光孔２１１、内採光孔２２１、及び採光部４の形状、配置位置、及び数は、その他の形状、配置位置、及び数としても構わない。この採光部４は、採光部骨材５と、額縁６と、複数のガラス板を積層することによって構成した複層ガラスである矩形状の面材７とを備える。
【００１４】
採光部骨材５は、上骨材５１と、下骨材５２と、左右一対の縦骨材５３，５４とを四周枠組みすることによって構成され、外表面材２１と内表面材２２との間に配置される。そして、採光部骨材５は、外採光孔２１１及び内採光孔２２１の各開口縁部とともに採光開口部Ｏｐ２を形成する。すなわち、採光部骨材５の枠内の内周面と、外採光孔２１１及び内採光孔２２１の各開口縁部とは、採光開口部Ｏｐ２の内周面を形成する。
【００１５】
上骨材５１及び下骨材５２は、上下対称の構造である。このため、以下では、上骨材５１の構成を主に説明し、下骨材５２については、上骨材５１と同様の構成に同一の符号を付して説明を省略する。
上骨材５１は、金属骨材５１１と、樹脂骨材５１２とを備える。
金属骨材５１１は、アルミニウムやスチール等の金属製であり、左右方向の全長に亘って略同一の断面略Ｕ字形状を有する。そして、金属骨材５１１は、断面略Ｕ字状の開口部分が上方に向く姿勢で配置される。
樹脂骨材５１２は、塩化ビニル樹脂（ＰＶＣ）等の樹脂製であり、左右方向の全長に亘って略同一の断面略Ｕ字形状を有するとともに、金属骨材５１１と略同一の全長を有する。そして、樹脂骨材５１２は、金属骨材５１１における断面略Ｕ字状の外面に被せて取り付けられている。すなわち、樹脂骨材５１２は、上骨材５１が外表面材２１と内表面材２２との間の熱橋となることを防止している。
【００１６】
左右一対の縦骨材５３，５４は、左右対称の構造である。このため、以下では、左側の縦骨材５３の構成を主に説明し、右側の縦骨材５４については、縦骨材５３と同様の構成に同一の符号を付して説明を省略する。
縦骨材５３は、金属骨材５３１と、室内外一対の樹脂骨材５３２，５３３とを備える。
金属骨材５３１は、上骨材５１の金属骨材５１１と同一材料で構成されているとともに同一形状を有する。そして、金属骨材５１１は、断面略Ｕ字状の開口部分が左側を向く姿勢で配置される。
一対の樹脂骨材５３２，５３３は、塩化ビニル樹脂（ＰＶＣ）等の樹脂製であり、上下方向の全長に亘って略同一の断面形状をそれぞれ有し、金属骨材５３１と略同一の全長を有する。具体的に、樹脂骨材５３２，５３３は、断面視で一巻きの渦巻き形状を有する。そして、樹脂骨材５３２は、金属骨材５３１における室外側の見付け板部５３１ａを包み込むように、当該見付け板部５３１ａに外挿されて取り付けられている。また、樹脂骨材５３３は、金属骨材５３１における室内側の見付け板部５３１ｂを包み込むように、当該見付け板部５３１ｂに外挿されて取り付けられている。すなわち、一対の樹脂骨材５３２，５３３は、縦骨材５３が外表面材２１と内表面材２２との間の熱橋となることを防止している。
【００１７】
額縁６は、外採光孔２１１及び内採光孔２２１の開口周縁部に配置される。この額縁６は、外額縁部材８と、内額縁部材９と、補強部材１０と、カバー部材１１とを備える。
外額縁部材８は、外採光孔２１１の上下縁部に沿って左右方向にそれぞれ延在する外上額縁部８１及び外下額縁部８２と、外採光孔２１１の左右縁部に沿って上下方向にそれぞれ延在する左右一対の外縦額縁部８３，８４とを四周枠組みすることによって構成され、外表面材２１の表面に配置される。
これら各額縁部８１〜８４は、アルミニウム等の金属製の押出形材で構成され、全長に亘って略同一の断面形状を有する。なお、各額縁部８１〜８４は、略同様の構成を有する。このため、以下では、外上額縁部８１の構成を主に説明し、他の額縁部８２〜８４については、外上額縁部８１と同様の構成に同一の符号を付して説明を省略する。
【００１８】
外上額縁部８１は、表面材当接部８１１と、面材支持部８１２と、取付片部８１３とを備える。
ここで、外上額縁部８１及び外下額縁部８２を構成する各表面材当接部８１１は、左右方向の長さ寸法が外採光孔２１１の上縁部の長さ寸法と略同一で、上下方向に延在する板状に形成されている。そして、当該各表面材当接部８１１は、外表面材２１の表面において、外採光孔２１１よりも上方側の部位及び下方側の部位を室外側からそれぞれ覆うとともに、当該各部位にそれぞれ当接する。
一方、左右一対の外縦額縁部８３，８４を構成する各表面材当接部８１１は、上下方向の長さが外表面材２１の上端から下端に至る長さ寸法と略同一で、左右方向に延在する板状に形成されている。そして、当該各表面材当接部８１１は、外採光孔２１１の左右縁部を左右方向に跨いだ状態で当該左右縁部を室外側からそれぞれ覆うとともに、外表面材２１の表面にそれぞれ当接する。
【００１９】
面材支持部８１２は、表面材当接部８１１における外額縁部材８の枠状内側の端部から当該枠状内側に延在するとともに、延在方向の先端部分が室内側に屈曲した断面Ｌ字形状を有する。なお、外額縁部材８の枠状内側とは、外上額縁部８１の場合には下側を意味し、外下額縁部８２の場合には上側を意味し、左側の外縦額縁部８３の場合には右側を意味し、右側の外縦額縁部８４の場合には左側を意味する。
そして、面材支持部８１２における室内側への延在方向の先端には、面材７に当接するタイト材８１４が装着されている。
【００２０】
取付片部８１３は、表面材当接部８１１における外額縁部材８の枠状内側の端部から室内側に延在し、連結ネジＳｃにより内額縁部材９及び補強部材１０が取り付けられる部分である。当該連結ネジＳｃは、本発明に係る連結部材に相当する。この取付片部８１３における室内側への延在方向の先端部分は、採光開口部Ｏｐ２内に位置するとともに、二股に分岐し、互いの間に連結ネジＳｃが螺合する螺合溝８１３ａを有する。
なお、以下では、説明の便宜上、各額縁部８１〜８４を構成する各取付片部８１３における室内側への延在方向の各先端を通る仮想平面（線）を断熱ラインＬｉと記載する。
【００２１】
内額縁部材９は、内採光孔２２１の上下縁部に沿って左右方向にそれぞれ延在する内上額縁部９１及び内下額縁部９２と、内採光孔２２１の左右縁部に沿って上下方向にそれぞれ延在する左右一対の内縦額縁部９３，９４とを四周枠組みすることによって構成され、内表面材２２の表面に配置される。
これら各額縁部９１〜９４は、塩化ビニル樹脂（ＰＶＣ）等の樹脂製の押出形材で構成され、全長に亘って略同一の断面形状を有する。なお、各額縁部９１〜９４は、略同様の構成を有する。このため、以下では、内上額縁部９１の構成を主に説明し、他の各額縁部９２〜９４については、内上額縁部９１と同様の構成に同一の符号を付して説明を省略する。
【００２２】
内上額縁部９１は、表面材係止部９１１と、面材挟持部９１２と、額縁接続部９１３と、第１，第２の取付突起９１４，９１５とを備える。
ここで、内上額縁部９１及び内下額縁部９２を構成する各表面材係止部９１１は、左右方向の長さ寸法が内採光孔２２１の上下縁部の長さ寸法とそれぞれ略同一で、上下方向にそれぞれ延在する板状に形成されている。そして、当該各表面材係止部９１１は、内採光孔２２１の上下縁部を上下方向にそれぞれ跨いだ状態で当該上下縁部を室内側からそれぞれ覆うとともに、内表面材２２の表面にそれぞれ当接する。
一方、左右一対の内縦額縁部９３，９４を構成する各表面材係止部９１１は、上下方向の長さ寸法が内採光孔２２１の左右縁部の長さ寸法とそれぞれ略同一で、左右方向にそれぞれ延在する板状に形成されている。そして、当該各表面材係止部９１１は、内採光孔２２１の左右縁部を左右方向にそれぞれ跨いだ状態で当該左右縁部を室内側からそれぞれ覆うとともに、内表面材２２の表面にそれぞれ当接する。
すなわち、表面材係止部９１１は、採光開口部Ｏｐ２外に位置し、内表面材２２と見込み方向に重なり合う。
【００２３】
面材挟持部９１２は、表面材係止部９１１よりも内額縁部材９の枠状内側に位置し、当該表面材係止部９１１に略平行となる板状に形成されている。なお、当該内額縁部材９の枠状内側とは、内上額縁部９１の場合には下側を意味し、内下額縁部９２の場合には上側を意味し、左側の内縦額縁部９３の場合には右側を意味し、右側の内縦額縁部９４の場合には左側を意味する。
また、面材挟持部９１２は、採光開口部Ｏｐ２内に位置するとともに、取付片部８１３における室内側への延在方向の先端と、面材７と見込み方向に重なり合う。そして、内額縁部材９は、面材挟持部９１２を介して見込み方向に沿って連結ネジＳｃを採光開口部Ｏｐ２内に挿通して取付片部８１３の螺合溝８１３ａに螺合することで、外額縁部材８に保持される。
そして、面材挟持部９１２における室外側の見付け面には、面材７に当接するタイト材９１６が装着されている。
【００２４】
額縁接続部９１３は、表面材係止部９１１と面材挟持部９１２とを接続する部分であり、表面材係止部９１１における内額縁部材９の枠状内側の端部から室外側に向けて延在し、面材挟持部９１２における内額縁部材９の枠状外側の端部に接続する。なお、当該内額縁部材９の枠状外側とは、内上額縁部９１の場合には上側を意味し、内下額縁部９２の場合には下側を意味し、左側の内縦額縁部９３の場合には左側を意味し、右側の内縦額縁部９４の場合には右側を意味する。そして、各額縁部９１〜９４を構成する各額縁接続部９１３は、採光部骨材５と内表面材２２との間を採光開口部Ｏｐ２内からそれぞれ覆う。
以上説明した表面材係止部９１１、面材挟持部９１２、及び額縁接続部９１３は、断面クランク形状を有する。
【００２５】
第１の取付突起９１４は、表面材係止部９１１における内額縁部材９の枠状外側の端部から室内側に突出する。
第２の取付突起９１５は、面材挟持部９１２における内額縁部材９の枠状内側の端部から室内側に突出する。
【００２６】
補強部材１０は、内上額縁部９１及び内下額縁部９２の延在方向（左右方向）にそれぞれ延在する上補強部１０１及び下補強部１０２と、左右一対の内縦額縁部９３，９４の延在方向（上下方向）にそれぞれ延在する左右一対の縦補強部１０３，１０４とを備える。
これら各補強部１０１〜１０４は、アルミニウムやスチール等の金属製であり、全長に亘って略同一の断面形状を有するとともに、各額縁部９１〜９４と略同一の全長をそれぞれ有する。なお、各補強部１０１〜１０４は、略同様の構成を有する。このため、以下では、上補強部１０１の構成を主に説明し、他の各補強部１０２〜１０４については、上補強部１０１と同様の構成に同一の符号を付して説明を省略する。
【００２７】
上補強部１０１は、内表面材押え部１０１ａと、面材押え部１０１ｂと、補強接続部１０１ｃとを備える。
内表面材押え部１０１ａは、表面材係止部９１１の室内側に配置され、当該表面材係止部９１１における室内側の見付け面の略全面を覆う。また、内表面材押え部１０１ａは、採光開口部Ｏｐ２外に位置するとともに、内表面材２２と見込み方向に重なり合う。
【００２８】
面材押え部１０１ｂは、面材挟持部９１２の室内側に配置され、当該面材挟持部９１２における室内側の見付け面の略全面を覆う。また、面材押え部１０１ｂは、採光開口部Ｏｐ２内に位置するとともに、面材挟持部９１２を介して、取付片部８１３における室内側への延在方向の先端と、面材７と見込み方向に重なり合う。そして、補強部材１０は、面材押え部１０１ｂ及び面材挟持部９１２を介して見込み方向に沿って連結ネジＳｃを採光開口部Ｏｐ２内に挿通して取付片部８１３の螺合溝８１３ａに螺合することで、内額縁部材９とともに外額縁部材８に保持される。
【００２９】
補強接続部１０１ｃは、本発明に係る接続部に相当する。この補強接続部１０１ｃは、内表面材押え部１０１ａと面材押え部１０１ｂとを接続する部分であり、内表面材押え部１０１ａにおける補強部材１０の枠状内側の端部から室外側に向けて延在し、面材押え部１０１ｂにおける補強部材１０の枠状外側の端部に接続する。なお、当該補強部材１０の枠状内側とは、上補強部１０１の場合には下側を意味し、下補強部１０２の場合には上側を意味し、左側の縦補強部１０３の場合には右側を意味し、右側の縦補強部１０４の場合には左側を意味する。また、当該補強部材１０の枠状外側とは、上補強部１０１の場合には上側を意味し、下補強部１０２の場合には下側を意味し、左側の縦補強部１０３の場合には左側を意味し、右側の縦補強部１０４の場合には右側を意味する。
そして、各補強部１０１〜１０４を構成する各補強接続部１０１ｃは、採光開口部Ｏｐ２外から採光開口部Ｏｐ２内に延在して採光部骨材５と内表面材２２との間を採光開口部Ｏｐ２内からそれぞれ覆う。なお、上述したように連結ネジＳｃは、面材挟持部９１２を介して取付片部８１３の螺合溝８１３ａに螺合する。このため、補強接続部１０１ｃは、連結ネジＳｃよりも採光部骨材５側に位置する。
以上説明した各補強部１０１〜１０４は、断面クランク形状をそれぞれ有する。
【００３０】
カバー部材１１は、内上額縁部９１及び内下額縁部９２の延在方向（左右方向）にそれぞれ延在する上カバー部１１１及び下カバー部１１２と、左右一対の内縦額縁部９３，９４の延在方向（上下方向）にそれぞれ延在する左右一対の縦カバー部１１３，１１４とを備える。
これら各カバー部１１１〜１１４は、アルミニウムやスチール等の金属製であり、全長に亘って略同一の断面略Ｕ形状をそれぞれ有する。そして、各カバー部１１１〜１１４は、第１，第２の取付突起９１４，９１５に外挿されて取り付けられ、連結ネジＳｃを含めて各額縁部９１〜９４の室内側をそれぞれ覆い隠す。
【００３１】
以上説明した採光部４には、外額縁部材８が室外側に脱落することを防止するために、脱落防止部材１２が設けられている。
脱落防止部材１２は、左右一対の縦骨材５３，５４と左右一対の外縦額縁部８３，８４における各取付片部８１３との間にそれぞれ設けられている。具体的に、脱落防止部材１２は、一方の部位１２１と他方の部位１２２とが鋭角で交差する断面Ｖ字状の板体で構成されている。そして、一方の部位１２１は、金属骨材５３１における採光開口部Ｏｐ２に臨む見込み面に取り付けられている。また、他方の部位１２２の先端は、取付片部８１３における二股の分岐の基点となる角隅部分に係止している。
【００３２】
また、採光部４には、以下に示す位置に、加熱により膨張する不燃性または難燃性の熱膨張性部材１３がそれぞれ設けられている。
熱膨張性部材１３は、外上額縁部８１の取付片部８１３において、面材７の上端面に対向する位置に設けられている。また、熱膨張性部材１３は、左右一対の外縦額縁部８３，８４の各取付片部８１３において、面材７の左右端面にそれぞれ対向する位置に設けられている。また、熱膨張性部材１３は、左右一対の外縦額縁部８３，８４の各取付片部８１３において、左右一対の縦骨材５３，５４にそれぞれ対向する位置に設けられている。また、熱膨張性部材１３は、外下額縁部８２の取付片部８１３において、下骨材５２に対向する位置に設けられている。また、熱膨張性部材１３は、表面材係止部９１１及び内表面材押え部１０１ａ間と、面材挟持部９１２及び面材押え部１０１ｂ間とにそれぞれ設けられている。
【００３３】
〔補強部材の機能〕
次に、上述した補強部材１０の機能について説明する。
図５は、補強部材１０の機能を説明する図であって、図４の一部を拡大した図である。また、図５では、内額縁部材９が焼失するとともにカバー部材１１が脱落した状態を示している。
ところで、ドア２において、採光部４での断熱性を向上させるためには、断熱ラインＬｉと内表面材２２の表面との間の見込み方向に沿う寸法Ｄ１が大きいことが好ましい。
そして、例えば、本実施の形態の構造とは異なり、図５に示した面材押え部１０１ｂの位置に内表面材押え部１０１ａを位置付け、連結ネジＳｃにより、当該内表面材押え部１０１ａを介して取付片部８１３に補強部材１０を取り付ける構造（以下、第１の構造と記載）とした場合には、以下に示す第１，第２の問題がある。
内表面材押え部１０１ａは、内表面材２２と見込み方向に重なり合う必要がある。このため、第１の構造を採用した場合には、内表面材押え部１０１ａの見込み方向の位置（図５に示した面材押え部１０１ｂの位置）に合わせて内表面材２２を室外側に移動させる必要があり、結果として、寸法Ｄ１を大きくすることができない。すなわち、第１の構造では、採光部４での断熱性を向上させることが難しい、という第１の問題がある。
また、第１の構造では、補強接続部１０１ｃは、連結ネジＳｃよりも面材７側に位置することとなる。言い換えれば、補強接続部１０１ｃは、採光部骨材５から離間した位置に位置することとなる。このため、室外側での火災等により断熱材２３等に引火した場合に、ドア２内部から採光部骨材５と内表面材２２との間を介して採光開口部Ｏｐ２内に噴出する炎を補強接続部１０１ｃにて遮炎することが難しく、高い防火性能を得ることが難しい、という第２の問題がある。
【００３４】
また、例えば、本実施の形態の構造とは異なり、寸法Ｄ１を大きく確保するために、図５に示した内表面材押え部１０１ａの見込み方向の位置を図５と同一の位置としつつ、連結ネジＳｃにより、当該内表面材押え部１０１ａを介して取付片部８１３に補強部材１０を取り付ける構造（以下、第２の構造と記載）とした場合には、上述した第１の問題を解消することができるが、上述した第２の問題が残る。
具体的に、第２の構造では、断熱ラインＬｉと連結ネジＳｃの頭部との間の見込み方向に沿う寸法Ｄ２が大きくなる。すなわち、内額縁部材９が焼失した場合には、当該大きい寸法Ｄ２分、補強部材１０が移動し易くなる。このため、補強部材１０がガタついてしまい、補強部材１０にて面材７及び内表面材２２を室内側から押える機能が低下する。また、第２の構造では、上述した第１の構造と同様に、補強接続部１０１ｃは、連結ネジＳｃよりも面材７側に位置することとなる。このため、補強接続部１０１ｃが採光部骨材５から離間した位置に位置する点、及び上述した補強部材１０がガタつく点により、室外側での火災等により断熱材２３等に引火した場合に、ドア２内部から採光部骨材５と内表面材２２との間を介して採光開口部Ｏｐ２内に噴出する炎を補強接続部１０１ｃにて遮炎することが難しく、高い防火性能を得ることが難しい、という第２の問題がある。
【００３５】
これに対して、本実施の形態では、補強部材１０は、図５に示すように、内表面材押え部１０１ａよりも室外側に位置する面材押え部１０１ｂを介して連結ネジＳｃにより取付片部８１３に取り付けられている。このため、断熱ラインＬｉと内表面材２２の表面との間の見込み方向に沿う寸法Ｄ１を大きくすることができ、採光部４での断熱性を向上させることができる。また、当該寸法Ｄ１を大きくしながら、断熱ラインＬｉと連結ネジＳｃの頭部との間の見込み方向に沿う寸法Ｄ２を小さくすることができ、補強部材１０のガタつきを抑制し、補強部材１０にて面材７及び内表面材２２を室内側から押える機能を十分に確保することができる。
【００３６】
また、本実施の形態では、補強接続部１０１ｃは、図５に示すように、連結ネジＳｃよりも採光部骨材５側に位置する。言い換えれば、補強接続部１０１ｃは、採光部骨材５に近接した位置に位置する。そして、補強接続部１０１ｃは、採光部骨材５と内表面材２２との間を採光開口部Ｏｐ２内から覆う。このため、補強接続部１０１ｃが採光部骨材５に近接した位置に位置する点、及び上述した補強部材１０のガタつきを抑制している点により、室外側での火災等により断熱材２３等に引火した場合に、ドア２内部から採光部骨材５と内表面材２２との間を介して採光開口部Ｏｐ２内に噴出する炎を補強接続部１０１ｃにて効果的に遮炎することができ、さらに高い防火性能を得ることができる。また、表面材係止部９１１及び内表面材押え部１０１ａ間と、面材挟持部９１２及び面材押え部１０１ｂ間とにそれぞれ設けられた熱膨張性部材１３が膨張することにより、ドア２内部から採光部骨材５と内表面材２２との間を介して採光開口部Ｏｐ２内に噴出する炎が室内側の空間に出てしまうことを効果的に抑制することができ、さらに高い防火性能を得ることができる。
【００３７】
（その他の実施の形態）
ここまで、本発明を実施するための形態を説明してきたが、本発明は上述した実施の形態によってのみ限定されるべきものではない。
上述した実施の形態では、本発明に係る戸体として、玄関に用いられるドア２を例示したが、これに限らず、玄関以外の場所に用いられてもよく、開き戸以外の引き戸に用いても構わない。
【００３８】
本発明に係る戸体は、室外側に配置される外表面材と室内側に配置される内表面材との間に断熱材を配設し、前記外表面材と前記内表面材とを貫通する採光孔に採光部を設けた戸体であって、前記採光部は、前記外表面材と前記内表面材との間に配置され、前記外表面材及び前記内表面材における前記採光孔の開口縁部とともに採光開口部を形成する採光部骨材と、前記採光孔の開口周縁部に配置される額縁と、外周縁部が前記額縁に保持される面材とを備え、前記額縁は、前記外表面材の表面に配置される外額縁部材と、前記内表面材の表面に配置され、見込み方向に沿って前記採光開口部内に挿通される連結部材により前記外額縁部材に保持される内額縁部材と、前記連結部材により前記外額縁部材に保持される補強部材とを備え、前記補強部材は、前記面材よりも室内側に位置し、前記面材と見込み方向に重なり合うとともに、前記連結部材により前記外額縁部材に保持される面材押え部と、前記面材押え部及び前記内表面材よりも室内側に位置し、前記内表面材と見込み方向に重なり合う内表面材押え部と、前記面材押え部及び前記内表面材押え部を互いに接続する接続部とを備え、前記接続部は、前記連結部材よりも前記採光部骨材側に位置するとともに、前記採光開口部外から前記採光開口部内に延在して前記内表面材と前記採光部骨材との間を覆うことを特徴とする。
【００３９】
本発明では、採光部は、採光開口部外から採光開口部内に延在して内表面材と採光部骨材との間を覆う接続部を有する補強部材を備える。このため、室外側での火災等により戸体内部の断熱材等に引火した場合に、戸体内部から採光部骨材と内表面材との間を介して採光開口部内に噴出する炎を接続部にて遮炎することができる。
特に、接続部は、連結部材よりも採光部骨材側に位置する。言い換えれば、接続部は、採光部骨材に近接する位置に位置する。このため、戸体内部から採光部骨材と内表面材との間を介して採光開口部内に噴出する炎を接続部にて効果的に遮炎することができる。
したがって、本発明に係る戸体によれば、高い防火性能を得ることができる。
【００４０】
また、本発明では、補強部材は、内表面材押え部よりも室外側に位置する面材押え部を介して連結部材により外額縁部材に保持される。このため、外額縁部材における連結部材にて内額縁部材及び補強部材が取り付けられる位置（以下、断熱ラインと記載）と内表面材の表面との間の見込み方向に沿う寸法を大きくすることができる。これにより、採光部での断熱性を向上させることができる。また、連結部材としてネジ等を採用した場合において、断熱ラインとネジの頭部との間の見込み方向に沿う寸法を小さくすることができる。すなわち、当該小さい寸法により、補強部材の移動を制限し、当該補強部材のガタつきを抑制することができる。これにより、補強部材にて面材及び内表面材を室内側から押える機能を十分に確保することができる。また、接続部が採光部骨材に近接した位置に位置する点、及び補強部材のガタつきを抑制している点により、室外側での火災等により戸体内部の断熱材等に引火した場合に、戸体内部から採光部骨材と内表面材との間を介して採光開口部内に噴出する炎を接続部にて効果的に遮炎することができ、さらに高い防火性能を得ることができる。
【００４１】
また、本発明は、上述した戸体において、前記内額縁部材は、樹脂材料で構成され、前記補強部材は、前記内額縁部材よりも室内側に配置されていることを特徴とする。
本発明によれば、補強部材と内額縁部材との位置関係を上述した位置関係に設定することで、樹脂製の内額縁部材により補強部材と外額縁部材とが熱的に接続されることを回避することができる。このため、採光部での断熱性を向上させることができる。また、補強部材と外額縁部材との間に別途、断熱性の部材を設ける構成と比較して、既存の内額縁部材を利用することで、部品点数が増加することがない。
【００４２】
また、本発明は、上述した戸体において、前記面材押え部及び前記面材の間と、前記内表面材押え部及び前記内表面材の間との少なくとも一方には、加熱により膨張する熱膨張性部材が設けられていることを特徴とする。
本発明によれば、上記の位置に熱膨張性部材を設けることで、当該熱膨張性部材が膨張することにより、戸体内部から採光部骨材と内表面材との間を介して採光開口部内に噴出する炎が室内側の空間に出てしまうことを効果的に抑制することができ、さらに高い防火性能を得ることができる。
【符号の説明】
【００４３】
２  ドア（戸体）、４  採光部、５  採光部骨材、６  額縁、７  面材、８  外額縁部材、９  内額縁部材、１０  補強部材、１３  熱膨張性部材、２１  外表面材、２２  内表面材、２３  断熱材、１０１ａ  内表面材押え部、１０１ｂ  面材押え部、１０１ｃ  補強接続部（接続部）、２１１  外採光孔（採光孔）、２２１  内採光孔（採光孔）、Ｏｐ２  採光開口部、Ｓｃ  連結ネジ
【図１】
2020026673.tif 000003
【図２】
2020026673.tif 000004
【図３】
2020026673.tif 000005
【図４】
2020026673.tif 000006
【図５】
2020026673.tif 000007